(57)【要約】【課題】表示パネル額縁領域の引き回し配線の配設形態の改良による額縁領域の縮小化。【解決手段】ソースドライバ２から引き出されたビデオ信号配線群２ａの、その引き出し位置とドライバ２に対応する外部接続端子３０との間の途中区間を分離して、その分離したビデオ信号配線群２ａをバイパス配線群１４として対向電極基板２０の液晶層に対向する面上に配設し、そのバイパス配線群１４の両端のバイパス電極１５、１６とアレイ基板１０上のビデオ信号配線群２ａが分断されて残った残留ビデオ信号配線群２ｂ、２ｅの二つの端部のバイパス電極２ｃ、２ｄとを、シール材中に埋設した導電部材を介して直列に接続し、かつ、パネルを平面視した際、アレイ基板１０上のソースドライバ２と対向電極基板２０上の対応するバイパス配線群１４とが幅方向に重なるようにする。【選択図】図１
2007264447.tif 000002
【特許請求の範囲】
【請求項１】
表示領域に、複数の信号線と、アクティブ素子を備えた複数の画素電極とが形成され、額縁領域に、前記信号線に接続された制御回路と、その制御回路から引き出されて外部接続端子に接続される引き回し配線群と、その外部接続端子とが形成された第１の基板と、
その第１の基板に対向配置された第２の基板とを有し、
その第１の基板と第２の基板とが、間に表示媒体を介在させてシール材で接着されたアクティブマトリクス型表示パネルにおいて、
前記引き回し配線群の途中区間を前記第２の基板の前記表示媒体に対向する面上に配設して迂回させ、第１の基板上の前記額縁領域における引き回し配線群の占有面積を小さくしたことを特徴とするアクティブマトリクス型表示パネル。
【請求項２】
表示領域に、複数の信号線と、アクティブ素子を備えた複数の画素電極とが形成され、額縁領域に、前記信号線に接続された制御回路と、その制御回路から引き出されて外部接続端子に接続される引き回し配線群と、その外部接続端子とが形成された第１の基板と、
その第１の基板に対向配置された第２の基板とを有し、
その第１の基板と第２の基板とが、間に表示媒体を介在させてシール材で接着されたアクティブマトリクス型表示パネルにおいて、
前記制御回路から引き出された引き回し配線群の引き出し位置と前記外部接続端子との間の途中区間を分断して分離し、その分離した引き回し配線群を前記第２の基板の前記表示媒体に対向する面上に配設し、その分離した引き回し配線群の両端と第１の基板上の分断された引き回し配線群の分断部の両端とを電気的導通手段で直列に接続し、かつ、パネルを平面視した際、第１の基板上の制御回路と第２の基板上の対応する前記分離した引き回し配線群とが重なるようにしたことを特徴とするアクティブマトリクス型表示パネル。
【請求項３】
表示領域に、複数の信号線と、アクティブ素子を備えた複数の画素電極とが形成され、額縁領域に、前記信号線に接続された制御回路と、その制御回路から引き出されて外部接続端子に接続される引き回し配線群と、その外部接続端子とが形成された第１の基板と、
その第１の基板に対向配置された第２の基板とを有し、
その第１の基板と第２の基板とが、間に表示媒体を介在させてシール材で接着されたアクティブマトリクス型表示パネルにおいて、
前記制御回路から引き出された引き回し配線群の、制御回路の側辺に並走する配線群の一部について、その途中区間を分断して分離し、その分離した配線群を前記第２の基板の前記表示媒体に対向する面上に配設し、その分離した配線群の両端と第１基板上の分断された配線群の分断部の両端とを電気的導通手段で直列に接続し、かつ、パネルを平面視した際、第２基板上の前記分離配線群と、第１基板上の分断された残りの配線群とが重なるようにしたことを特徴とするアクティブマトリクス型表示パネル。
【請求項４】
請求項２または３に記載の表示パネルにおいて、
前記電気的道通手段として、前記第１の基板と第２の基板とを接着するシール材の中に、導電性の部材を含んでいることを特徴とするアクティブマトリクス型表示パネル。
【請求項５】
請求項１から４のいずれかに記載の表示パネルを備えた表示装置。
【発明の詳細な説明】
【技術分野】
【０００１】
この発明は、例えば、液晶表示パネルなど、表示媒体を対向基板間に介在させて画像表示を行う表示パネルに係り、詳しくは、そのアクティブマトリクス型のものの構造の改良に関する。
【背景技術】
【０００２】
液晶表示パネルは、図４に示すように、例えば、ガラスや透明樹脂で形成された二枚の矩形の透明基板１０、２０を対向配置し、その対向面間に液晶層を挟持した構成を採る。図４では、図の煩雑さを避けるため、その液晶層は図示していない。符号４０を付した矩形のラインが液晶層を封止するシール材である。
【０００３】
図の下側の基板１０には、その液晶層に接する面にソース配線１とそれが接続されたソースドライバ２、ゲート配線３とそれが接続されたゲートドライバ４、ソース配線とゲート配線とに接続されたスイッチング素子５、そのスイッチング素子５でオン・オフされる画素電極６、およびそれらソースドライバ２、ゲートドライバ４にパネル外部から各種信号を送るために、それらから引き出された引き回し配線群２ａ、４ａが配設されている。スイッチング素子５には、一般に、アクティブ素子としての薄膜トランジスタや薄膜ダイオードが用いられる。それらソース配線１、ゲート配線３、スイッチング素子５および画素電極６は、次の図５で示すように、それぞれ複数のものが搭載されているが、この図４では、それらが搭載されていることのみを示すため、それぞれ一つずつ、象徴的に描いたものである。また、図示はしていないが、画素電極６の電位を保持するための保持容量線（Ｃｓバスライン）が各画素電極６の行または列方向に配設されている。
【０００４】
また、前記ゲートドライバ４の外側とソースドライバ２の対向対辺に沿って、コモン転移用配線７が配設されている。そのコモン転移用配線７の対角位置にはコモン転移電極８が配設されている。
【０００５】
図５は、今示した図４の下側に描かれた基板１０の液晶層に接する側の面に搭載された電気的要素を模式平面図で示したものである。複数のソース配線１と、複数のゲート配線３とが互いに交差して配設されており、それらによって形作られる複数のマトリクス状の区画のそれぞれに、スイッチング素子５を備えた画素電極６が形成されている。なお、この図では、図の煩雑さを避けるため、スイッチング素子５は図示せず、画素電極６に付設されたものとして、その画素電極６の符号６の後の括弧の中にスイッチング素子を示す５の符号のみを示している。
【０００６】
以上のような配線１、３やスイッチング素子５、画素電極６が形成された基板の中央領域が有効表示領域となり、その周縁が非表示領域、いわゆる額縁領域となる。
【０００７】
その額縁領域には、前記ソース配線１に接続されたソースドライバ２と、前記ゲート配線３に接続されたゲートドライバ４と、そのソースドライバ２およびゲートドライバ４から引き出されて、それらドライバ２、４がパネル外部から信号を得るための引き回し配線２ａ、４ａおよび外部接続端子３０が形成されている。
【０００８】
外部接続端子３０には、それらドライバ２、４にパネル外部から信号を与えるためのもの、先に述べたコモン転移電極８に電位を与えるためのもの、および保持容量に電位を与えるためのものがある。以上のような有効表示領域上の配線１、３やスイッチング素子５、画素電極６および額縁領域上のドライバ２、４、引き回し配線群２ａ、４ａ、外部接続端子３０を備えた基板１０を、本明細書ではアレイ基板１０と呼ぶ。
【０００９】
他方、そのアレイ基板１０に対向配置されるもう一方の基板２０には、そのアレイ基板１０の対向面上に、アレイ基板１０上の前記画素電極６に対する対向電極１１が配設されている。対向電極１１は、前記アレイ基板１０の有効表示領域に対応する領域一面に渡って形成されている。以降、本明細書では、この基板２０を対向電極基板２０と呼ぶ。尚、所謂ＩＰＳ方式のような横電界方式の場合では基板２０は対向電極１１を必要としない。よって本実施例における「対向電極基板」とは対向電極を伴う基板の場合を明示的に指すものとする。
【００１０】
図６は、以上のようなアレイ基板１０と対向電極基板２０とを液晶層Ｌを介して対向させ、シール材４０で接着するとともに、そのシール材４０で液晶層Ｌを封止した状態のものの、図５のアレイ基板１０における線Ｂ−Ｂの位置の断面を採り、それを模式的に示したものである。
【００１１】
図６では、図の下側に示した基板がアレイ基板１０であり、その表面には画素電極６が配設されている。その画素電極６の手前に示しているのが絶縁膜５０であり、その絶縁膜５０の手前にソース配線１を示している。ソース配線１は画素電極６と右側のソースドライバ２に接続されている。
【００１２】
そのソースドライバ２の手前に、ソースドライバ２から引き出された直後の引き回し配線群２ａ（ビデオ信号配線群、以下、ビデオ信号配線群２ａとする）の断面を示している。また、分断線を挟んで、その右隣にはソースドライバ２から引き出されて二度屈曲してソースドライバ２のパネル側縁に平行に走るビデオ信号配線群２ａを、その断面で示している。このビデオ信号配線群２ａの断面の最も右側の信号線の隣は、その信号線がもう一度屈曲して外部接続端子３０に繋がる部分である。
【００１３】
次に、アレイ基板１０と対向電極基板２０を接着するシール材４０の層には、球状あるいはファイバー状のスペーサ（図示せず）が埋設されることが多い。またスペーサとは別個に弾性率や寸法の異なる球状の導電部材４１を埋設すると以下の機能を持たせることができる。すなわちアレイ基板１０に設けられた外部接続端子３０を介して外部から対向電極１１に電気的に接続するのに、その外部接続端子３０から引き出されているコモン転移用配線７と、コモン転移電極８を経て、そのコモン転移電極８と対向電極１１を電気的に接続する導通手段を介在させる必要があるが、その導通手段として、例えば樹脂ビーズの表面を金属薄膜でコーティングして得られる導電部材４１を用いることが行われている。このようにすると、その導電部材４１はアレイ基板１０のコモン転移電極８と対向電極１１の両方に接しているので、その電気的導通を図ることができる。
【００１４】
以上のようなアレイ基板１０の上に対向配置された対向電極基板２０は、液晶パネルがカラー表示対応の場合には、この図６に示したように、液晶層Ｌに面する側にブラックマトリクス（遮光膜）１２を伴ったカラーフィルタ層１３が形成され、このカラーフィルタ層１３を覆って前記対向電極１１が形成されている。
【００１５】
なお、以上のアレイ基板１０と対向電極基板２０の液晶層Ｌに面する側には図示しない配向膜が形成され、また、液晶層Ｌに面するのとは反対側の面には、これも図示しない位相差板と偏光板とがこの順で積層されている。尚、例えば反射型液晶表示装置やあるいはＥＬ表示装置のような自発光型表示装置の場合は、少なくとも表示面側の基板が透明であればよい。よって必ずしも上述した二枚の基板が共に透明基板である必要はない。また基板２０を表示面側とするか、あるいは基板１０を表示面側とするかは当業者が任意に選択することができる。
【発明の開示】
【発明が解決しようとする課題】
【００１６】
ところで、ソースドライバ２や、それから引き出された前記ビデオ信号配線群２ａが形成されたアレイ基板１０の額縁領域は、それが大きいほど表示パネルの大きさが同じであれば有効表示領域が小さくなり、あるいは有効表示領域の大きさが同じであれば表示パネルが大きくなるので、画面が小さくなったり携帯性や外観の魅力が乏しいものとなる。
【００１７】
そのソースドライバ２から引き出されたビデオ信号配線群２ａの配設による額縁領域の拡大の様子を寸法の観点から検証すると、そのビデオ信号配線群２ａによって、例えば４相展開を構築する場合、カラー表示のＲ、Ｇ、Ｂ三色の３×４本＝１２本のビデオ信号配線群２ａを必要とする。ビデオ信号配線は、通常、一本当たり５０μｍ前後の線幅であるので、１０μｍの配線間隔でもって配線したとしても、７１０μｍ前後の配線幅が必要となる。
【００１８】
相展開は、大容量表示、すなわち画素アレイの規模を拡大させるのには有効な手段であるが、今例示したように、額縁の拡大に繋がるものであり、近年の表示パネルの有用な開発指針の一つとしての狭額縁化には相容れない関係にある。
【００１９】
さらに、カラー表示においては、現行の三原色のビデオ信号配線ではなく、表示品位の向上のために四色以上のビデオ信号配線を配設した表示パネルが提案されているが、この場合にはさらに額縁領域が拡大することになる。
【００２０】
そこで、本発明は、その額縁領域の上記ビデオ配線群など、その引き回し配線群の配設による額縁領域の拡大に着目し、その配設形態の改良によって表示パネルにおける額縁領域の縮小を図ることを目的とする。
【課題を解決するための手段】
【００２１】
上記目的を達成するために、本発明は、表示領域に、複数の信号線と、アクティブ素子を備えた複数の画素電極とが形成され、額縁領域に、前記信号線に接続された制御回路と、その制御回路から引き出されて外部接続端子に接続される引き回し配線群と、その外部接続端子とが形成された第１の基板と、
その第１の基板に対向配置された第２の基板とを有し、
その第１の基板と第２の基板とが、間に表示媒体を介在させてシール材で接着されたアクティブマトリクス型表示パネルにおいて、
前記引き回し配線群の途中区間を前記第２の基板の前記表示媒体に対向する面上に配設して迂回させ、第１の基板上の前記額縁領域における引き回し配線群の占有面積を小さくした構成を採用したのである。
【００２２】
このような構成にしたので、第１の基板上の額縁領域の面積を小さくすることができる。
【００２３】
その際、前記制御回路から引き出された引き回し配線群の引き出し位置と前記外部接続端子との間の途中区間を分断して分離し、その分離した引き回し配線群を前記第２の基板の前記表示媒体に対向する面上に配設し、その分離した引き回し配線群の両端と第１基板上の分断された引き回し配線群の分断部の両端とを電気的導通手段で直列に接続し、かつ、パネルを平面視した際、第１の基板上の制御回路と第２の基板上の対応する前記分離した引き回し配線群とが重なるようにした構成を採ることができる。
【００２４】
また、前記制御回路から引き出された引き回し配線群の、制御回路の側辺に並走する配線群の一部について、その途中区間を分断して分離し、その分離した配線群を前記第２の基板の前記表示媒体に対向する面上に配設し、その分離した配線群の両端と第１の基板上の分断された配線群の分断部の両端とを電気的導通手段で直列に接続し、かつ、パネルを平面視した際、第２の基板上の前記分離配線群と、第１の基板上の分断された残りの配線群とが重なるようにした構成を採ることもでき、その場合も、上記と同じく、第１の基板上の額縁領域の一部を占めていた、制御回路の側辺に並走する配線群の一部が（第２の基板上に移って）なくなるので、額縁領域の面積を小さくすることができる。
【００２５】
上記各構成において、前記電気的道通手段として、前記第１の基板と第２の基板とを接着するシール材の中に、導電性の部材を含んでいる構成を採ることができ、そのようにすれば、その導電部材は、元々、対向電極への電気的接続のためのパネルの構成要素として配設されていたものであるので、道通手段として新たな部品を調達する必要がなく、パネルの空間的構成が変わることもない。
【発明の効果】
【００２６】
本発明は、上記のように構成したので、従来の構成より額縁領域が縮小された結果画面が大きい、若しくは外形が小さいアクティブマトリクス型の表示パネルを得ることができる。
【発明を実施するための最良の形態】
【００２７】
以下、図面を参照して本発明の実施の形態を説明する。
【００２８】
（第１の実施形態）
本実施形態を説明するに当たり、以下で参照する図１〜図３の中の符号については、背景技術の項で示した図４〜図６中の要素と同じ要素については、同じ符号を付して説明を省略する。
【００２９】
図１は本発明のパネルの実施形態の模式斜視図であり、アレイ基板１０と対向電極基板２０を対向させて描いたものである。図１では、従来例の図４と同様に、両基板間に封止される液晶層は図示省略している。
【００３０】
図２は対向する二つの基板１０、２０の内、アレイ基板１０のみを平面図で描いたものである。また、図３は、両対向基板１０、２０を対向させてシール部材４０で接着するとともに、基板間に液晶層Ｌを封止したものの、図２の線Ａ−Ａによる断面を模式的に示したものである。
【００３１】
先ず、図１および図２に示すように、本実施形態のアレイ基板１０では、基板表面（図示しない液晶層に接する面）の図の右の側辺に対応する額縁領域上で、そこに形成されたソースドライバ２の図の手前側の辺から引き出されたビデオ信号配線群２ｂが、その引き出し方向に真っ直ぐに延伸され、シール部材４０の配設ラインと交差する位置にまで達している。このビデオ信号配線群２ｂは、後に述べるように、従来例において、ソースドライバ２から引き出されていた引き回し配線群２ａの一部である。
【００３２】
そして、そのシール部材４０の配設ラインに達した位置で、その先端に電極２ｃ（以下、バイパス電極２ｃと称する）が形成された形となっている。
【００３３】
また、そのソースドライバ２の外側を平行に走るシール部材４０の配設ラインの位置にもバイパス電極２ｄが形成されており、そのバイパス電極２ｄからは、それが形成されているシール部材４０の配設ラインに交差して、その外側に向かって配線群２ｅが配設されている。この配線群２ｅも、後に述べるように、先ほどと同じく、従来例において、ソースドライバ２から引き出されていたビデオ信号配線群２ａの一部である。その配線群２ｅの端部が、同じアレイ基板１０の表面上に配設された外部接続端子３０に繋がっている。なお、有効表示領域の構成は、背景技術の項の図４で示した従来例のものと同じである。
【００３４】
以上のような構成によって、本実施形態の額縁領域の、ソースドライバ２が配設されている領域には、背景技術の項の図４に示した大きな屈曲形状のビデオ信号配線群２ａがなく、その分、ソースドライバ２を基板１０の縁部の方に寄せた形を採って狭額縁化を果たした形になっている。
【００３５】
他方、対向電極基板２０側でも、図４の従来例において、そのアレイ基板１０に対向する面上にほぼ一面に形成されていた対向電極１１の、前記ソースドライバ２の真上の領域と、その外寄りの領域とを併せた領域に対応する部分がカットされており、そのカットされた部分に、アレイ基板１０側のビデオ信号配線群２ａの大きな屈曲部から分離されてきたバイパス配線群１４が配設されている。
【００３６】
そして、この対向電極基板２０側のバイパス配線群１４は、両対向基板１０、２０を対向させて真上から見た場合、アレイ基板１０の前記ソースドライバ２の上に重なるようになっている。
【００３７】
また、バイパス配線群１４の両端にはバイパス電極１５、１６が接続されており、このバイパス電極１５、１６はそれぞれ、パネルを平面視した際、アレイ基板１０上のバイパス電極２ｃ、２ｄに重なるような位置に配設されている。
【００３８】
こうして先ず、パネルの有効表示領域が拡大されたわけであるが、次に、そのようにアレイ基板１０側のビデオ信号配線群２ａを分離して対向電極基板２０側に配設したバイパス配線群１４の一方のバイパス電極１５と、アレイ基板１０側に残ったソースドライバ２からのビデオ信号配線群２ｂ（以降、残留ビデオ信号配線群２ｂともいう）の端部のバイパス電極２ｃとの電気的接続形態、およびバイパス配線群１４のもう一方のバイパス電極１６と、アレイ基板１０側の外部接続端子３０に繋がる残りの引き出し配線群２ｅ（以降、残留ビデオ信号配線群２ｅともいう）の端部のバイパス電極２ｄとの電気的接続形態について説明する。
【００３９】
図３の断面図に示すように、表示パネルの額縁領域の外側縁部に沿って形成されているシール材４０の層の中には、両基板１０、２０間の対向間隔、すなわち液晶層の厚みを一定に保つためのスペーサ（図示せず）とともに導電部材４１が埋設されている。これは背景技術の項の図で例示したものに留まらず、液晶表示パネル一般に普及した構造である。
【００４０】
この導電部材４１は球状のもので、その球の直径が両基板１０、２０間隔の寸法と略等しくなっている。言い換えれば、その球の一直径の両端に両基板１０、２０の対向面が接していることになる。そして、本実施形態でも、この導電部材４１を外部接続端子３０からコモン転移用配線７とコモン転移電極８を介して対向電極基板２０の対向電極１１に電位を与えることができる。
【００４１】
これと同じような原理により、図３の右側に示したように、アレイ基板１０側のシール部材４０の配設ライン上に形成されたバイパス電極２ｄと、その真上に位置する対向電極基板２０側のバイパス電極１６との間にも、導電部材４１が介在しており、このことにより、先ず、バイパス電極２ｄとバイパス電極１６との間の電気的導通が図れるようになっている。
【００４２】
このような構成は、図３の右側の二点鎖線で囲んだ領域におけるアレイ基板１０側のバイパス電極２ｃと、その真上の対向電極基板２０側のバイパス電極１５との間にも構築されており、この図３では、煩雑さを避けるため、図示はしていないが、６個のバイパス電極２ｃとそれらに対応する６個のバイパス電極１５との間にも導電性部材で形成されたスペーサが介在しており、このことにより、バイパス電極２ｃとバイパス電極１５との間の電気的導通も図れるようになっている。なお、バイパス電極２ｃの符号２ｃの後の括弧の中の符号２ｂは、そのバイパス電極２ｃの図の後方に、そのバイパス電極２ｃが装着された残留ビデオ信号配線群２ｂが存在していることを示している。
【００４３】
同じように、そのバイパス電極２ｃの真上に描かれたバイパス電極１５のその符号の背後の括弧内の符号１４は、そのバイパス電極１５の図の後方に、そのバイパス電極１５が装着されたバイパス配線群１４が存在していることを示している。
【００４４】
以上のような構成により、パネルの外部からアレイ基板１０上の外部接続端子３０を通って供給された信号は、先ず、アレイ基板１０側の残留ビデオ信号配線群２ｅに入り、バイパス電極２ｄと、導電部材４１を介して、対向電極基板２０上のバイパス電極１６に至る。
【００４５】
そして、そのバイパス電極１６を通ってバイパス配線群１４に入り、バイパス配線群１４の他方のバイパス電極１５を通って、図３の二点鎖線で囲んだ領域内の図示しない導電部材を介して、アレイ基板１０側の残留ビデオ信号配線群２ｂの端部のバイパス電極２ｃに至る。
【００４６】
そして、そのバイパス電極２ｃからその残留ビデオ信号配線群２ｂを通ってソースドライバ２に信号が供給される。
【００４７】
なお、本実施形態では、アレイ基板１０上のソースドライバ２の真上を対向電極基板２０側のバイパス配線群１４が部分的に交差する形となるので、ソースドライバ２の駆動が一部乱れたり、バイパス配線群１４を流れる映像信号が乱れたりするおそれがある。
【００４８】
この現象を阻止するのに、本実施形態では、図３に示したように、ソースドライバ２の領域とバイパス配線群１４との間にはシールド電極６０を配置した。このシールド電極６０としては、導電性の薄膜を用い、それを、絶縁膜５０を介してソースドライバ２上に配設することによって、実現することができる。導電性薄膜は、画素電極６や外部接続端子３０の電極材料を用いることができる。
【００４９】
なお、本実施形態では、パネルの額縁領域を縮小するのに、そのソースドライバ２が配設されている領域の、そのソースドライバ２から引き出されているビデオ信号配線群２ａの配設形態を変えて行ったが、これに限らず、ゲートドライバ４が配設されている領域の、そのゲートドライバ４から引き出されている引き回し配線４ａの配設形態を変えて行うこともできる。
【００５０】
以上、本実施形態では、今述べたような構成により、パネルの額縁領域が縮小され、有効表示領域が拡大されるので、パネルの外形が従来のものと同じ寸法形状の場合、表示画面は見やすく、あるいは、表示量（情報量）の多いものとなる。
【００５１】
（第２の実施形態）
次に、第２の実施形態について説明する。第１の実施形態では、ビデオ信号配線２ａの分離形態として、その幅方向の全てについて分離し、かつ、その分離したビデオ信号配線群（バイパス配線群１４）の対向電極基板２０上での配設位置を、パネルを平面視した際、ソースドライバ２上に重なるようにしたが、この第２の実施形態では、先ず、ソースドライバ２から引き出されたビデオ信号配線群２ａの分離形態として、その幅方向の全てではなく、その幅方向の一部の数の配線だけを分離対象とし、また、その長さ方向についても、ソースドライバ２の側辺に並走する部分のみを対象とし、その分断して分離したビデオ信号配線群の対向電極基板２０上の配設位置についても、パネルを平面視した際、ソースドライバ２上に重なるようにするのではなく、アレイ基板１０上で分断された残りの配線群に幅方向で重なるようにしたものである。
【００５２】
この場合も、パネルを平面視した際、アレイ基板１０上のソースドライバ２の側辺に並走する配線群は、そのような構成にしなかった場合に比べて、その幅寸法が小さなものとなる。すなわち、この第２の実施形態の方法でも、パネルの狭額縁化を図ることができる。
【００５３】
また、以上の実施形態では、ソースドライバ２から引き出されたビデオ信号配線群２ａについて本発明を適用したが、ゲートドライバ４から引き出された引き回し配線群４ａについて適用することもできる。
【産業上の利用可能性】
【００５４】
本発明は、表示領域に、複数のソース配線とそれに交差するゲート配線、および、それらの配線で仕切られる区画領域にスイッチング素子（アクティブ素子）を備えた画素電極が配設されたアレイ基板と、対向基板とが、間に表示媒体を介在させてシール材で接着されたアクティブマトリクス型の表示パネル一般に広く適用可能である。
【図面の簡単な説明】
【００５５】
【図１】は、本実施形態の模式斜視図である。
【図２】は、本実施形態のパネルのアレイ基板の模式平面図である。
【図３】は、図２の線Ａ−Ａによる断面図である。
【図４】は、従来例の模式斜視図である。
【図５】は、パネルのアレイ基板の従来例の模式斜視図である。
【図６】は、図５の線Ｂ−Ｂによる断面図である。
【符号の説明】
【００５６】
１    ソース配線
２    ソースドライバ
２ａ    引き回し配線群（ビデオ信号配線群）
２ｂ、２ｅ    残留引き回し配線群（残留ビデオ信号配線群）
２ｃ、２ｄ    バイパス電極
３    ゲート配線
４    ゲートドライバ
４ａ    引き回し配線群
５    スイッチング素子
６    画素電極
７    コモン転移用配線
８    コモン転移電極
１０    アレイ基板
１１    対向電極
１２    ブラックマトリクス（遮光膜）
１３    カラーフィルタ層
１４    バイパス配線群
１５、１６    バイパス電極
２０    対向電極基板
３０    外部接続端子
４０    シール材
４１    導電部材
５０    絶縁膜
６０    シールド電極
Ｌ    液晶層
【図１】
2007264447.tif 000003
【図２】
2007264447.tif 000004
【図３】
2007264447.tif 000005
【図４】
2007264447.tif 000006
【図５】
2007264447.tif 000007
【図６】
2007264447.tif 000008